(57)【要約】      （修正有）【課題】アクセサリーの収納及び取出作業が容易に行え且つ収納時にもアクセサリーを美しく飾ることができるアクセサリーケースを提供する。【解決手段】このアクセサリーケース１０は、透明の容器本体１５と、支持蓋１６とを有する。容器本体１５は円筒状のシンプルな形状である。支持蓋１６は保持部材１４を有し、イヤリング３２は、保持部材１４の保持部に保持される。イヤリング３２は、保持部材１４に保持された状態で、容器本体１５の開口２５から収容空間に挿入される。支持蓋１６の蓋本体２７は、開口２５に圧入され、口部に圧着状態で支持される。【選択図】図１
0003195329.tif 000002
【実用新案登録請求の範囲】
【請求項１】
光透過性材料からなり、上部に開口が形成されると共に当該開口に連通して内部に収容空間が区画された容器本体と、
上記開口の周縁部に着脱自在に支持されており、アクセサリーを上記収容空間内に保持し得る支持蓋とを有するアクセサリーケース。
【請求項２】
上記支持蓋は、
上記開口の周縁部に着脱可能に支持される蓋本体と、
当該蓋本体に設けられ、アクセサリーを保持する保持部を有する保持部材とを備える請求項１に記載のアクセサリーケース。
【請求項３】
上記保持部材は、上記蓋本体にねじ込み可能なネジ部を有する請求項１又は２に記載のアクセサリーケース。
【請求項４】
上記保持部材は、上記蓋本体と一体に構成されている請求項１又は２に記載のアクセサリーケース。
【請求項５】
上記保持部材の上記保持部は、リング状になっている請求項１から４のいずれかに記載のアクセサリーケース。
【請求項６】
上記保持部材の上記保持部は、フック形状になっている請求項１から５のいずれかに記載のアクセサリーケース。
【請求項７】
上記蓋本体は、弾性部材からなり、前記開口に圧入されて上記開口の周縁部に圧着状態で支持される請求項１から６のいずれかに記載のアクセサリーケース。
【請求項８】
上記蓋本体は、上記開口の周縁部の外側に嵌め込まれた状態で支持される請求項１から７のいずれかに記載のアクセサリーケース。
【請求項９】
上記蓋本体は、上記開口の周縁部上に載置される請求項１から８のいずれかに記載のアクセサリーケース。
【考案の詳細な説明】
【技術分野】
【０００１】
この考案は、アクセサリーケースの構造に関するものである。
【背景技術】
【０００２】
たとえば、宝石や貴金属からなるネックレスなど、美しく魅力的なアクセサリーは、使用されないときにも専用のケースに入れられ、収納される（たとえば特許文献１参照）。
【先行技術文献】
【特許文献】
【０００３】
【特許文献１】特開２０１２−２２３２１２号公報
【考案の概要】
【考案が解決しようとする課題】
【０００４】
特許文献１に開示されたアクセサリーセットは、アクセサリーとその収納瓶とをセットにしたものである。当該文献によれば、需要者は、このアクセサリーセットを購入する際に、当該アクセサリーを収納瓶に入れた状態を想像することができ、需要者の購買意欲がそそられるとされている。
【０００５】
ところで、美しいアクセサリーは、単に透明の容器に収納されるだけでは、その魅力が生かされない。また、特にチェーンを有するネックレスなどは、乱雑に容器に収容されると絡み合ってしまうおそれがある。さらに、アクセサリーの容器への収納、取出作業は、容易であることが要請される。
【０００６】
本考案はかかる背景のもとになされたものであって、その目的は、アクセサリーの収納及び取出作業が容易に行うことができ、且つ収納時にもアクセサリーを美しく飾ることができるアクセサリーケースを提供することである。
【課題を解決するための手段】
【０００７】
(1) 本考案に係るアクセサリーケースは、光透過性材料からなり、上部に開口が形成されると共に当該開口に連通して内部に収容空間が区画された容器本体と、上記開口の周縁部に着脱自在に支持されており、アクセサリーを上記収容空間内に保持し得る支持蓋とを有する。
【０００８】
この構成によれば、たとえばイヤリングなどのアクセサリーは、支持蓋に保持された状態で、容器本体の開口から収容空間に入れられる。この開口は、容器本体の上部に設けられているから、支持蓋が容器本体の開口の周縁部に支持されることにより、当該アクセサリーは、上記収容空間内で支持蓋に保持される。容器本体は光透過性材料から構成されることから、当該アクセサリーは、収納時においても外部からその本来の美しい姿が観賞され得る。また、支持蓋が開口の周縁部から外されることにより、アクセサリーは、上記開口から引き出され、簡単に取り出される。
【０００９】
(2)  上記支持蓋は、上記開口の周縁部に着脱可能に支持される蓋本体と、当該蓋本体に設けられ、アクセサリーを保持する保持部を有する保持部材とを備える。
【００１０】
この構成により、アクセサリーを保持部材の保持部に保持した状態で、蓋本体を、容器本体の開口の周縁部に支持させることによって、アクセサリーを容器本体内に所望の状態で保持することができる。
【００１１】
(3)  上記保持部材は、上記蓋本体にねじ込み可能なネジ部を有する。
【００１２】
この構成により、保持部材を蓋本体に対して容易に組み付けることができる。
【００１３】
(4) 上記保持部材の上記保持部は、リング状になっている。
【００１４】
この構成により、アクセサリーを保持部材の保持部に安定的に保持させることができる。
【００１５】
(5) 上記保持部材の上記保持部は、フック形状になっている。
【００１６】
この構成により、アクセサリーを簡単且つ確実に保持部に保持することができ、しかもアクセサリーの着脱が容易であるために、保持部に対するアクセサリーの保持作業を容易に行うことができる。
【００１７】
(6) 上記蓋本体は、弾性部材からなり、前記開口に圧入されて上記開口の周縁部に圧着状態で支持される。
【００１８】
この構成では、蓋本体が弾性部材からなるので、蓋本体は、上記開口に圧入されて開口の周縁部に圧着状態で確実に支持される。しかも、蓋本体を上記開口へ嵌め込む作業及び取り外す作業が容易である。
【００１９】
(7) 上記蓋本体は、上記開口の周縁部の外側に嵌め込まれた状態で支持される。
【００２０】
この構成では、蓋本体は、開口の周縁部の外側に嵌め込まれるので、蓋本体を上記開口へ嵌め込む作業及び取り外す作業が容易になり、しかも、蓋本体が開口の周縁部に安定的に支持される。また、開口の周縁部が蓋本体によって覆われるために、蓋本体によって外観性を向上させることができる。
【００２１】
(8) 上記蓋本体は、上記開口の周縁部上に載置される。
【００２２】
この構成によれば、蓋本体を開口の周縁部に載置すればよいために、開口の周縁部に対する蓋本体の着脱が容易になる。
【考案の効果】
【００２３】
この考案によれば、収納時においてもアクセサリーの美しさ及び魅力を損なうことなく飾ることができ、しかもアクセサリーの収納及び取出作業が容易に行える。
【図面の簡単な説明】
【００２４】
【図１】図１は、本考案の実施形態１に係るアクセサリーケース１０の外観斜視図である。
【図２】図２は、アクセサリーケース１０の容器本体１５の外観斜視図である。
【図３】図３は、アクセサリーケース１０の支持蓋１６の外観斜視図である。
【図４】図４は、アクセサリーケース１０の分解斜視図であり、イヤリング３２の収納手順が示されている。
【図５】図５は、実施形態１の変形例に係るアクセサリーケース１０の外観斜視図である。
【図６】図６は、実施形態１の他の変形例に係るアクセサリーケース１０の外観斜視図である。
【図７】図７は、本考案の実施形態２に係るアクセサリーケース１０の外観斜視図である。
【図８】図８は、実施形態２の変形例に係るアクセサリーケース１０の外観斜視図である。
【図９】図９は、実施形態２の他の変形例に係るアクセサリーケース１０の外観斜視図である。
【図１０】図１０は、本考案の実施形態３に係るアクセサリーケース１０の外観斜視図である。
【図１１】図１１は、実施形態３の変形例に係るアクセサリーケース１０の外観斜視図である。
【図１２】図１２は、実施形態３の他の変形例に係るアクセサリーケース１０の外観斜視図である。
【図１３】図１３は、実施形態４に係るアクセサリーケース１０の縦断面図である。
【図１４】図１４は、実施形態４に係るアクセサリーケース１０における容器本体１５及び支持蓋１４を分離した状態の斜視図であり、支持蓋１４を上下方向を反転した状態で示している。
【図１５】図１５は、各実施形態の設計変更例に係るアクセサリーケース１０の分解斜視図である。
【考案を実施するための形態】
【００２５】
［実施形態１］
【００２６】
以下、本考案の好ましい実施形態が、適宜図面が参照されながら説明される。なお、本実施の形態は、本考案に係るアクセサリーケースの一態様にすぎず、本考案の要旨を変更しない範囲で実施態様が変更されてもよいことは言うまでもない。
【００２７】
図１は、本考案の実施形態１に係るアクセサリーケース１０の外観斜視図である。
【００２８】
このアクセサリーケース１０は、宝石、貴金属等からなるアクセサリーを出し入れ自在に収納するものである。本実施形態では、アクセサリーケース１０には、アクセサリーとして一対のイヤリング３２が収納されている。一対のイヤリング３２のそれぞれは、後に詳述される保持部材１４によって保持されている。
【００２９】
本実施形態の特徴とするところは、アクセサリーケース１０の構造である。具体的には、アクセサリーケース１０は、透明の容器本体１５と、支持蓋１６とを備えている点であり、一対のイヤリング３２が、支持蓋１６に吊り下げられた状態で容器本体１５内で保持され、看者は、外部からイヤリング３２の美しい姿を観賞できるようになっている。
【００３０】
図２は、容器本体１５の外観斜視図である。
【００３１】
容器本体１５は、光透過性材料からなる。典型的には、ガラスのほかアクリル樹脂、アクリロニトリルブタジエンスチレン共重合体（ＡＢＳ）、その他の樹脂が採用される。同図が示すように、容器本体１５は、円筒状に形成されている。具体的には、容器本体１５は、円板形状の底部１７と、この底部１７の周縁に連続して上方に立ち上がった円筒状の側壁部１８とを有する。この側壁部１８の上縁に連続して傘状に形成された肩部１９が設けられており、この肩部１９の上端部２１（実用新案登録請求の範囲に記載された「上部」に相当）に、側壁部１８よりも小径の円筒形状になった口部２０が、側壁部１８と同軸状態で設けられている。これら底部１７、側壁部１８、肩部１９及び口部２０は、一体的に形成されており、これらによって、容器本体１５の内部に収容空間２６が区画されている。
【００３２】
口部２０（「開口の周縁部」に相当）は、ドーナツ状を呈し、その中心には上下に貫通する断面円形状の穴２３が設けられている。この穴２３は、口部２０の上面２４の開口２５を形成している。開口２５は、上記収容空間２６と連通しており、イヤリング３２等のアクセサリーは、開口２５を通じて収容空間２６に出し入れされる。
【００３３】
本実施形態では、容器本体１５が前述の形状に形成されているが、他の形状であってもよい。たとえば、上記底部１７が多角形であり、側壁部１８もこれに対応した断面形状の筒に形成されていてもよい。また、上記開口２５も円形に限定されることはなく、他の形状であってもよい。さらに、この開口２５は、本実施形態では上記上面２４に設けられているが、容器本体１５の上部であれば、たとえば上記肩部１９に設けられていてもよい。要するに、イヤリング３２等のアクセサリーが収容空間２６内に上方から吊り下げられる位置に上記開口２５が設けられていればよい。
【００３４】
図３は、支持蓋１６の外観斜視図である。
【００３５】
支持蓋１６は、蓋本体２７と、上記保持部材１４とを備えている。同図が示すように、蓋本体２７は、円錐台形状に形成されている。すなわち、蓋本体２７は、下端部２８の外径が小さく、上方に向かって漸次拡径された形状である。この下端部２８の外径は、上記穴２３（図２参照）の内径よりも小さく、蓋本体２７の上端部２９の外径は、上記穴２３の内径よりも大きく設定されている。蓋本体２７は、コルクからなり、所定の弾性を有する。もっとも、蓋本体２７の材質は、コルクのほか樹脂やゴム等も採用され得る。要するに、蓋本体２７は、上記開口２５から穴２３内に圧入され得るように弾性を備えていればよい。また、本実施形態では、蓋本体２７の外形形状は、上記穴２３の形状（円筒形）に対応して円錐台形となっているが、上記穴２３の形状が変更されれば、これに対応して蓋本体２７の外形形状が変更されることは言うまでもない。
【００３６】
保持部材１４は、蓋本体２７に対してねじ込まれるネジ部３４と、ネジ部３４の基端側に連続して直線状に設けられた連結部３３と、連結部３３の下端部に設けられた一対の保持部３５と、を有する。保持部材１４は、例えばステンレス鋼によって、全体が一体に形成されている。なお、保持部材１４を構成する材料はステンレス鋼に限定されるものではなく、耐腐食性に富んだ金属であれば他の材料が採用され得る。また、樹脂により保持部材１４が構成されてもよい。
【００３７】
ネジ部３４は、例えば、図３に示されるように、軸線方向に沿った長さＬ１が１５ｍｍ、基端部の外径が５ｍｍになっており、蓋本体２７に対して容易にねじ込みできるように、先端部が先細り形状になっている。ネジ部３４に連続して設けられた連結部３３は、横断面が、一辺の長さ５ｍｍの正方形状に構成されており、ネジ部３４と同軸状態になっている。
【００３８】
一対の保持部３５のそれぞれは、ほぼ同様のリング状に形成されており、連結部３３の軸心線を挟んで対称に配置されている。各保持部３５の軸心線は、連結部３３の軸心線とは直交した状態で配置されている。各保持部３５は、外径が２０ｍｍになっており、従って、一対の保持部３５の左右方向の長さは４０ｍｍになっている。また、各保持部３５の内径は１５ｍｍ、厚さ（各保持部材３５の軸心線方向の長さ）が５ｍｍになっている。
【００３９】
なお、連結部３３は、各保持部３５が容器本体１５の収容空間２６内に収容された場合に、保持部３５が収容空間２６内における所定位置になるように、その軸心線方向の長さが適宜設定される。本実施形態では、ネジ部３４が蓋本体２７にねじ込まれた場合に、蓋本体２７における小径になった下側の端面である下面４６（ネジ部３４の基端部の位置に相当）から各保持部３５までの連結部３３の軸心線方向に沿った長さＬ２（図３参照）が２０ｍｍになるように、連結部３３の長さが設定されている。
【００４０】
なお、保持部材１４における上記の各寸法は一例にすぎず、それらの寸法に限定されるものではない。保持部材１４における各寸法については、容器本体１５の大きさ等によって、適宜設定される。
【００４１】
このような構成の保持部材１４は、ネジ部３４が、蓋本体２７の下面４６から、蓋本体２７の中央の軸心線位置に、軸心線方向に沿って、軸心線方向の中程にまでねじ込まれた状態とされる。ネジ部３４の全体が蓋本体２７にねじ込まれると、連結部３３が蓋本体２７の下面４６に当接する。これにより、ネジ部３４は、それ以上、蓋本体２７にねじ込まれることが防止される。このような状態では、各保持部３５は、容器本体１５における収容空間２６内に位置される
【００４２】
なお、保持部材１４のネジ部３４は、蓋本体２７の中央の軸心位置にねじ込まれる構成に限らず、軸心位置から半径方向に離れた位置にねじ込まれる構成であってもよい。
【００４３】
本実施形態に係るアクセサリーケース１０は、次のように使用される。
【００４４】
図４は、イヤリング３２の収納手順を示す斜視図である。
【００４５】
イヤリング３２の使用者は、イヤリング３２を使用しないときはアクセサリーケース１０に収納する。このとき、使用者は、一対のイヤリング３２のそれぞれを、支持蓋１６の保持部材１４における各保持部３５に引っかける。これにより、一対のイヤリング３２が、支持蓋１６の各保持部３５に保持される。このような状態で、容器本体１５の開口２５から、保持部材１４の各保持部３５に保持された状態のイヤリング３２が収容空間２６に挿入され、支持蓋１６の蓋本体２７が上記開口２５から順次穴２３内に圧入される。これにより、蓋本体２７は、開口２５の周縁部である口部２０に圧着された状態で支持される。
【００４６】
容器本体１５の開口２５は、容器本体１５の上部に設けられているから、図１が示すように、支持蓋１６の蓋本体２７が容器本体１５の開口２５に嵌め込まれることにより、イヤリング３２は、収容空間２６内で支持蓋１６の保持部材１４によって保持された状態とされる。容器本体１５は透明であるから、使用者は、収納時においても外部からイヤリング３２の本来の美しい姿を観賞することができる。そして、支持蓋１６が上記口部２０から外されることにより、イヤリング３２は、容器本体１５から引き出され、簡単に取り出される。
【００４７】
このように、本実施形態に係るアクセサリーケース１０では、一対のイヤリング３２の美しさ及び魅力を損なうことなく飾った状態で収容することができ、しかも、一対のイヤリング３２を同時に取り出すことができる。
【００４８】
また、本実施形態では、蓋本体２７が弾性を有するので、蓋本体２７は、上記口部２０に圧着状態で確実に支持される。そのうえ、蓋本体２７を上記開口２５へ嵌め込む作業及び取り外す作業が容易であるという利点もある。
【００４９】
本実施形態では、容器本体１５が円筒状であり、その形状がシンプルである。このため、支持蓋１６の保持部材１４に保持された一対のイヤリング３２の美しさが引き出される。加えて、容器本体１５に設けられた開口２５が円形であるから、支持蓋１６における蓋本体２７の着脱作業もより簡単になるという利点がある。また、蓋本体２７の構造もきわめてシンプルであるので、イヤリング３２の美しさ、魅力が阻害されることがない。
【００５０】
なお、支持蓋１６の各保持部材１４に保持されるアクセサリーは、イヤリング３２に限られるものではなく、ピアスであってもよい。また、ネックレスを保持部材１４によって保持させてもよい。ネックレスの場合には、ネックレスのチェーンを、一対の保持部３５のいずれか一方だけでなく、両方によって保持させることができるために、チェーンを所望の湾曲状態で保持することができる。これにより、ネックレスを美しく飾ることができる。
【００５１】
図５は、本実施形態の変形例に係るアクセサリーケース１０の外観斜視図である。この変形例では、保持部材１４における保持部３６の構成のみが、図１〜図４に示される保持部３５の構成とは異なっている。この変形例の保持部３６は、例えば蝶の形状に構成されており、蝶の形状の一対の羽根に相当する部分の下部に、イヤリング３２等のアクセサリーを保持するための貫通穴３７がそれぞれ設けられている。この場合、例えば、各貫通穴３７の直径（内径）は８ｍｍになっている。また、保持部３６における軸心線方向に沿った最大長さが２５ｍｍ、左右方向の長さが３８ｍｍになっている。さらには、蓋本体２７から保持部３６までの連結部３３の軸心線方向に沿った長さ（図３のＬ２に相当）が２０ｍｍになるように、連結部３３の軸心線方向の長さが設定されている。
【００５２】
このように、保持部材１４における保持部３６が蝶の形状になっていることによって、保持部３６によって保持されるアクセサリーを、より一層、華やかに飾ることができる。なお、保持部３６の形状は、蝶の形状に限らず、任意の形状とすることができる。これにより、保持部３６の装飾性を向上させることができる。
【００５３】
図６は、本実施形態の他の変形例に係るアクセサリーケース１０の外観斜視図である。この変形例における保持部材１４は、比較的小さくて軽量のアクセサリーを保持する場合に使用されるものであり、連結部３３に、フック形状の保持部３８が設けられている。この保持部３８は、連結部３３に対して下方に向かって傾斜状態で連続する軸部３９と、軸部３９に連続した湾曲状態になった鍵部４０とによって構成されている。鍵部４０の先端部は、軸部３９の下側において、軸部３９にほぼ平行になっている。
【００５４】
この保持部材１４は、例えば、ネジ部３４の長さが７ｍｍ、連結部３３の長さが９ｍｍ、保持部３８の上下方向の長さが１０ｍｍ、保持部３５の左右方向の長さが１２ｍｍになっている。このような構成の保持部材１４は、保持部３８がフック形状になっていることにより、イヤリング３２等のアクセサリーを容易に保持させることができる。
【００５５】
なお、本実施形態の変形例における保持部材１４の上記の各寸法も、一例にすぎず、それらの寸法に限定されるものではない。
【００５６】
また、本実施形態では、保持部材１４は、支持蓋２７に対してネジこみによって支持蓋２７と一体的に結合させる構成であったが、このような構成に限らない。例えば、保持部材１４と支持蓋２７とを、合成樹脂、金属等によって一体的に成型する構成としてもよい。
【００５７】
[実施形態２]
【００５８】
図７は、実施形態２に係るアクセサリーケースの縦断面図である。このアクセサリーケース１０は、支持蓋１６における蓋本体２７の構成が、上記実施形態１とは異なっている。本実施形態２では、蓋本体２７は、容器本体１５における口部２０の外径よりも大きな外径を有する円柱状に構成されており、軸線方向の一方の端部に、口部２０が収容される凹部４２が形成されている。凹部４２が形成された端部以外の円柱状の部分は、口部２０上に載置される載置部４１になっている。蓋本体２７における凹部４２を区画する部分は、全周にわたって一定の肉厚の円筒部４３になっている。円筒部４３の軸心線方向の長さは、口部２０の軸心線方向の長さよりも長くなっている。
【００５９】
支持蓋１６の保持部材１４は、上記実施形態１の図１〜図４に示された保持部材１４とと同様に、ネジ部３４と、連結軸３３と、一対の保持部３５とを有している。
【００６０】
このような構成の支持蓋１６も、保持部材１４の各保持部３５にイヤリング３２がそれぞれ保持されると、容器本体１５の開口２５から収容空間２６に挿入される。その後、支持蓋１６の蓋本体２７における円筒部４３を、容器本体１５の口部２０の外側に嵌め込む。これにより、支持蓋１６は、容器本体１５に安定的に支持された状態になる。このとき、保持部材１４の各保持部３５に保持されたイヤリング３２が、収容容器１５における収容空間２６内に位置しており、各保持部３５に保持された一対のイヤリング３２を収容容器１５の肩部１９又は側壁部１８を通して鑑賞することができる。
【００６１】
なお、本実施形態２においても、図８に示されるように、保持部材１４が蝶の形状の保持部３６を有する構成として、保持部３６に一対の貫通穴３７を設けてもよい。また、図９に示されるように、保持部材１４の保持部３８を、軸部３９と鍵部４０とを有するフック形状にする構成としてもよい。
【００６２】
さらには、本実施形態においても、保持部材１４と支持蓋２７とを、合成樹脂、金属等によって一体的に成型する構成としてもよい。
【００６３】
[実施形態３]
【００６４】
図１０は、実施形態３に係るアクセサリーケース１０の外観斜視図である。本実施形態では、図１０に示されるように、支持蓋１６における蓋本体２７の構成のみが、上記実施形態２とは異なっている。本実施形態の蓋本体２７は、容器本体１５における口部２０の外径よりも大きな外径を有する円柱形状に構成されており、容器本体１５の口部２０上に載置されるようになっている。この場合も、蓋本体２７の中央の軸心位置に、図６に示された保持部材１４と同様の構成の保持部材１４がねじ込まれた状態になっている。
【００６５】
このような構成の支持蓋１６は、保持部材１４の各保持部３５にイヤリング３２がそれぞれ保持された状態で、各保持部３５が、容器本体１５の開口２５から収容空間２６に挿入される。その後、支持蓋１６の蓋本体２７が、容器本体１５の口部２０上に載置される。これにより、保持部材１４の各保持部３５に保持されたイヤリング３２が、容器本体１５における収容空間２６内の所定位置になり、肩部１９又は側壁部１８を通して、イヤリング３２を鑑賞することができる。
【００６６】
なお、本実施形態においても、図１１に示されるように、保持部材１４の保持部３６を蝶の形状として、保持部３６に一対の貫通穴３７を設ける構成としてもよい。また、図１２に示されるように、保持部材１４の保持部３８を、軸部３９と鍵部４０とを有するフック形状としてもよい。
【００６７】
さらには、本実施形態においても、保持部材１４と支持蓋２７とを、合成樹脂、金属等によって一体的に成型する構成としてもよい。
【００６８】
[実施形態４]
【００６９】
図１３は、実施形態４に係るアクセサリーケース１０の縦断面図、図１４は、実施形態４に係るアクセサリーケース１０の容器本体１５及び支持蓋１４を分離した状態の斜視図であり、支持蓋１４を上下方向を反転した状態で示している。本実施形態では、図１３に示されるように、支持蓋１６における蓋本体２７は、上下方向の長さが、上記の各実施形態における蓋本体２７よりも短くなっており、その上面４７が円弧状に突出した形状になっている。
【００７０】
図１４に示されるように、蓋本体２７の下部には、容器本体１５の口部２０に嵌合されるリング状の凹溝４８が設けられている。凹溝４８は、蓋本体２７の下面４６から下方に向かって開口している。蓋本体２７の下面４６は、凹溝４８を除いて平坦面になっている。このような蓋本体２７は、例えば合成樹脂によって形成されている。
【００７１】
保持部材１４は、例えば、ステンレス鋼によって形成されており、蓋本体２７にねじ込まれるネジ部３４と、ネジ部３４の下端部に連続して設けられたフック状の保持部４９とを備えている。保持部４９は円弧状に湾曲しており、その先端部がネジ部３４の下端部に対して間隔を開けて位置されている。なお、保持部材１４を構成する材料はステンレス鋼に限定されるものではなく、耐腐食性に富んだ金属であれば他の材料が採用され得る。また、樹脂により保持部材１４が構成されてもよい。さらには、保持部材１４と支持蓋２７とを、合成樹脂、金属等によって一体的に成型する構成としてもよい。
【００７２】
［設計変更例］
【００７３】
図１５は、上記各実施形態の設計変更例に係るアクセサリーケース１０の分解斜視図である。支持蓋１６の保持部材１４は、図１５に示されるように、線状のステンレス鋼を湾曲させて、一方の端部にフック状の保持部３１を形成するとともに、他方の端部にネジ部４５を形成する構成としてもよい。ネジ部４５と、保持部３１との間は、直線状に延びる連結部３０になっている。また、この設計変更例では、支持蓋１６における蓋本体２７の構成は、図１に示す実施形態１と同様にコルクによって形成されている。ネジ部４５は、蓋本体２７に対してねじ込みできるように、先端部が先細り形状になっている。図１５に示される例では、保持部３１にネックレス１１が保持されている。
【００７４】
このような構成の保持部材１４は、ネジ部４５が、蓋本体２７の下面４６から、蓋本体２７の軸心線位置に、軸心線方向に沿って軸心線方向の中程にまでねじ込まれた状態とされる。これにより、保持部材１４は、蓋本体２７に安定的に支持される。このような状態で、容器本体１５の開口２５から、保持部材１４の保持部３１に保持された状態のネックレス１１が収容空間２６内に挿入され、支持蓋１６の蓋本体２７が上記開口２５に圧入される。これにより、蓋本体２７は、口部２０に圧着された状態で支持される。
【００７５】
この設計変更例でも、保持部材１４の保持部３１に保持されたネックレス１１が、容器本体１５における側壁部１８を通して鑑賞することができる。
【符号の説明】
【００７６】
１０・・・アクセサリーケース
１１・・・ネックレス
１４・・・保持部材
１５・・・容器本体
１６・・・支持蓋
１７・・・底部
１８・・・側壁部
１９・・・肩部
２０・・・口部
２１・・・上端部
２３・・・穴
２４・・・上面
２５・・・開口
２６・・・収容空間
２７・・・蓋本体
２８・・・下端部
２９・・・上端部
３０・・・連結部
３１・・・保持部
３２・・・イヤリング
３３・・・連結部
３４・・・ネジ部
３５・・・保持部
３６・・・保持部
３７・・・貫通穴
３８・・・保持部
３９・・・軸部
４０・・・鍵部
４１・・・載置部
４２・・・凹部
４３・・・円筒部
４５・・・ネジ部
４６・・・下面
【図１】
0003195329.tif 000003
【図２】
0003195329.tif 000004
【図３】
0003195329.tif 000005
【図４】
0003195329.tif 000006
【図５】
0003195329.tif 000007
【図６】
0003195329.tif 000008
【図７】
0003195329.tif 000009
【図８】
0003195329.tif 000010
【図９】
0003195329.tif 000011
【図１０】
0003195329.tif 000012
【図１１】
0003195329.tif 000013
【図１２】
0003195329.tif 000014
【図１３】
0003195329.tif 000015
【図１４】
0003195329.tif 000016
【図１５】
0003195329.tif 000017